(57)【要約】【課題】  田・畑の害虫防除には、薬剤散布が主でしたが、現在残留農薬問題等で食の安全に国民の関心が高まっているのが現状です。【解決手段】  ソーラーパネル１で日中はバッテリー６に充電し、日没から日の出まで光センサー付きコントローラー５でインバーター４に通電し電撃殺虫器２を稼動し、においと光に誘引された害虫を電撃殺虫器２と粘着捕虫板３で捕獲する。昼間は、においで害虫を誘引し粘着捕虫板３とトレー１４を使用し捕獲する。【選択図】  図１
2005013232.tif 000002
【特許請求の範囲】
【請求項１】
ソーラー発電と飛翔性害虫の好むにおいで誘引する方法を利用し、昼間は飛翔性害虫の好むにおいで誘引し、日没から夜間には、飛翔性害虫の好むにおいと捕虫灯の光に誘引された飛翔性害虫を、電撃殺虫器と粘着捕虫板で駆除を行うことを特徴とする捕獲器。
【請求項２】
透明なアクリル板からなる雨除けを有し、入口の高さを変えられる用にしたことを特徴とする請求項１記載の捕獲器。
【請求項３】
インバーターを使用していますので、停電や災害時に家庭用電気器具が使用可能であることを特徴とする請求項１記載の捕獲器。
【請求項４】
床面に、トレーを設置し害虫の死骸が飛び散ることを防止すること特徴とする請求項１記載の捕獲器。
【発明の詳細な説明】
【技術分野】
【０００１】本発明は田・畑の害虫を防除する目的とする装置に関する。
【背景技術】
【０００２】害虫を防除するには、農薬、フェロモン剤、ネットで覆う方法が主です。
また、電撃殺虫器利用したものもがある（例えば、実用文献１参照。）。
他にも、透光板を使用したものもある（例えば、実用文献２参照。）【０００３】以下、従来の技術について説明する。農薬について近年農薬問題が騒がれ、消費者の安全指向の強まり農産物の安全性を高めることが重要になっています。電撃殺虫器や透光板を使用（例えば、実用文献２参照。）した発明は、夜間使用を目的としている。【０００４】
【実用文献１】
実用新案昭６３−７５９０３  公報
【実用文献２】
実用新案平  ５−３７０７８  公報
【発明の開示】
【発明が解決しようとする課題】
【０００５】  近年農薬問題が騒がれ、消費者の安全指向の強まり、輸入農産物の増加といった状況のもとで、農薬安全使用基準の遵守低農薬化によって、農産物の安全性を高めることが重要になっています。その中でも、輸入農産物が増加して、今まで日本には生息しなかった害虫が増えているのが現状です。平成１０年ごろから大発生が続いているハスモンヨトウ、コナガ、スリップス、その他の害虫は幅広い作物に食害を行い、すぐに薬剤抵抗性をもってしまう難防除害虫です。一度に卵を２００〜５００粒位、３日〜５日位でふ化します。幼虫期間は１５〜３０日位、成虫になると日中は作物の株元や土中に潜み薬剤がかかりにくく、防除効果が上がりません。成虫は昼夜活動し、年間五〜六世代繰り返します。フェロモン剤の使用では、害虫の種類によって変える必要があり効果が１ケ月位である。その他にも、電撃殺虫器を使用した防除器もあるが光で飛翔性害虫を誘引する為、昼間は効果が期待出来ないものである。【０００６】  そこで本発明では、従来の構成が有していた問題を解決しようとするものであり、昼夜に飛翔性害虫の防除を目的とするものである。
【課題を解決するための手段】
【０００７】  そして、本発明は上記目的を達成するためにソーラー発電と飛翔性害虫の好むにおいで誘引する方法を利用し、昼間は飛翔性害虫の好むにおいで誘引し粘着捕虫板で捕獲をして日没から夜間には飛翔性害虫の好むにおいと捕虫灯の光に誘引された飛翔性害虫を、電撃殺虫器と粘着捕虫板で駆除を行うことを目的とするものである。【０００８】  また、第２の課題解決手段は、透明なアクリル板からなる雨除けを有し、入り口の高さ変えられる用にして、床面にトレーを設置し害虫の死骸が飛び散ることを防止する目的で構成したものである。【０００９】上記第１の課題解決手段による作用は、ソーラー発電を利用し、日中はバッテリーに充電し、夜間電撃殺虫器と粘着捕虫板で害虫防除すること。光センサーを取り付け、日没から夜明けまで電撃殺虫器を作動し、光センサー付きコントローラーで稼動時間設定も可能で配線が無くコンパクトなので移動や設置が容易にできる。日陰などで使用する時には、ソーラーパネルのみを陽のあたる場所へ移動可能である。一般家庭用電源でも使用可能である。害虫誘引剤成分として、アルコール類例えば、日本酒、焼酎、ビール、ワイン類その他を使用し、野菜類又は果物類例えば、ねぎ、キャベツ、白菜、小松菜その他の野菜類と柿、イチゴ、モモ、バナナ、メロンその他の果物類を使用し、果物は完熟か腐敗気味の方が甘味と香りも増して効果を高めることができる。誘引剤の作り方として例えば、日本酒とザク切りにしたキャベツを３日〜７日位い密閉容器に入れて漬けることにより長期間誘引効果が持続できる。蜂蜜や砂糖類その他の甘味または香料を加えることでより強力に誘引効果を高めることができる。また、家庭用ミキサー等を使用し、材料を調合しゼリー状にすることで冷凍庫等で保存もでき何時でも使用可能ある。その他の材料として、魚貝類、缶詰類、乳製品、肉類、草花類、酒粕、ペットの餌その他害虫の好む物質などである。また各々材料をブレンドすることで強力に誘引効果を高めることができる。フェロモン剤の使用も可能である。【００１０】  また、第２の課題解決手段による作用は、電気器具を使用する為、露や雨除けに透明なアクリル板を使用し野菜の種類によって害虫の入り口の高さを変えられるようにしている。屋根や外壁を透明なアクリル板を使用し光の通りも良く、捕虫灯の明かりが内部で反射することにより明るさを倍増し光での誘引効果を高めることができる。また、誘引剤をセットすることにより、日中気温が高くなるにつれ内部が暖まりにおいが外部に漂い風などで誘引効果を強力に高めることができ、風車や扇風機を使用しても効果を高めることができる。使用材質は透明あるいは半透明のガラスやその他合成樹脂板も使用可能である。また床面にトレーを設置し電撃殺虫器等により害虫の死骸や一時的な麻痺などでトレーに落ちた害虫を捕殺でき外部への飛び散りを防止し衛生的である。トレーには水と少量の油を入れ落ちた飛翔性害虫を溺死させ油には食器洗い洗剤やてんぷら油、その他の油でも使用できる。トレーに夜間捕虫灯を照らすことにより光の反射を利用し錯覚でトレーに落ち溺死効果も高い。においの素材はトレーまたは別容器に入れてもよい。尚トレーの材質は容器側面から容易に視認できる程度を有するものであれば良い。害虫が多発し、誘引数が多い時には一般家庭用の殺虫スプレーも使用可能である。
【発明の効果】
【００１１】  上述したように本発明の捕獲器は薬剤を使用しない為、食の安心・安全や環境への安全性も可能となり害虫の冬眠期間を除き、年間害虫防除をすることができるので無農薬栽培も可能となる。
【発明の実施するための最良の形態】
【００１２】  また、田・畑の飛翔性害虫捕獲以外に薬剤を使用しないことから、安心して一般家庭や牛舎、鶏舎その他の作業場などのハエや蚊の駆除にも使用可能で、ペットなどのフェラリア予防その他の病害虫にも強力に効果を発揮するものである。ソーラー発電を利用し配線が無くコンパクトなので移動や設置が容易にできる為、山中で防除が困難な松くい虫駆除などにも効果が発揮でき、登山コースやハイキングコースなどに設置することにより非常時の電源としても使用可能である。
【発明の実施するための最良の形態】
【００１３】  以下、本発明の実施の形態を図１〜図９に基づいて説明する。
【００１４】  図１は本発明に係るプログラムを組み込んだ制御システムを有する防除機を示す外観図である。
【００１５】  図１及び図２に示すように、ソーラーパネル１を取り付け、昼間はソーラーパネル１で発電した電力をバッテリー６に充電し日没と共に光センサー付きコントローラー５が作動しインバーター４へ通電し、図２の電撃殺虫器２が稼動する。一般家庭用電源でも稼動可能である。
【００１６】  コントローラー５は、日没からの稼動時間設定も可能である。電撃殺虫機の光を利用し、図９の捕虫板３を吊り下げ捕獲する。
【００１７】  また、昼間には、においで誘引された飛翔性害虫を図９の捕虫板３を吊り下げ捕獲をすることができ、夜間には、電撃殺虫機２の光とにおいで誘引された飛翔性害虫を昼夜捕獲することができる。
【００１８】  田や畑（屋外）で電撃殺虫器を使用する為、風雨が中に入らない用に図５、図６及び図７に示す用に外壁に透明なアクリル板を使用している。
【００１９】    図１、図２及び図４に示す用に床面にトレーを設置し電撃殺虫器等により害虫の死骸や一時的な麻痺などでトレーに落ちた害虫を捕殺でき外部への飛び散りを防止し、また、トレーに水や誘引剤を入れることにより、においと光の反射利用し昼夜害虫の捕獲が可能である。死骸をトレーと共に容易に廃棄できる為衛生的である。
【物件名】
性能試験結果
＊平成１５年７月８日（夜間設置）
小松菜畑
コナガ    ８６頭捕獲
シロイチモンジョトウ虫  ５頭捕獲
＊平成１５年７月２０日（夜間設置）
ねぎ苗畑
コナガ    ５７頭捕獲
ハモグリバエ（体長約２ｍｍ）・スリップス（体長約１ｍｍ）共に小さいので多数で数えきれませんでした。
＊平成１５年８月１日（夜間設置）
稲作  コブノメイガ大発生につき水田の畔道に設置。
コブノメイガ  ６３頭捕獲
ウンカ・その他害虫共に多数で数えきれませんでした。
＊平成１５年８月５日（夜間設置）
ねぎ苗畑
コナガ    ５１頭捕獲
ハスモンヨトウ虫  １２頭捕獲
ハモグリバエ・スリップス共に多数で数えきれませんでした。
＊平成１６年５月１４日午後から１５日朝までコナガの大発生につき試験結果です。
キャベツ畑
コナガ  １４８頭捕獲
コバエ・ハモグリバエ・その他害虫共に多数で数えきれませんでした。
＊平成１６年６月２日（夜間設置）
小松菜畑
コナガ  １２６頭捕獲
ハエ類多数捕獲しました。
平成１６年度は、暖冬と１月から３月の降水量不足の影響でコナガやその他の害虫が例年より早く大発生し、キャベツ、小松菜、ねぎその他野菜、特にアブラナ科の野菜が害虫の被害にあいました。平成１５年に残留農薬問題で農薬安全使用基準が定められ、栽培作物によって農薬の種類や農薬散布回数定められ、農薬散布記録簿の記帳が義務づけられました。使用者に係る義務違反者には３年以下の懲役又は、１００万円以下の罰金とする。この事も、大発生の要因かとも思われます。
【図面の簡単な説明】
【図１】  防除機の外観図である。
【図２】  防除機の正面図である。
【図３】  防除機の後方図である。
【図４】  防除機の側面図である。
【図５】  フレームに雨よけアクリル板を取り付けた後方図である。
【図６】  フレームに雨よけアクリル板を取り付けた側面図である。
【図７】  フレームに雨よけアクリル板を取り付けた正面図である。
【図８】  雨水が入らない用にフレームとアクリル板の間にゴムパッキン取り付けた図である。
【図９】  捕虫板に粘着テープを両面に貼った図である。
【符号の説明】
１    ソーラーパネル                      １３  粘着テープ（両面）
２    電撃殺虫器                          １４  死骸入れトレー
３    粘着捕虫板
４    インバーター
５    光センサー付きコントローラー
６    バッテリー
７    フレーム
８    屋根部分
９    ひさし部分
１０  雨よけ側面
１１  害虫入口
１２  ゴムパッキン
【図１】
2005013232.tif 000003
【図２】
2005013232.tif 000004
【図３】
2005013232.tif 000005
【図４】
2005013232.tif 000006
【図５】
2005013232.tif 000007
【図６】
2005013232.tif 000008
【図７】
2005013232.tif 000009
【図８】
2005013232.tif 000010
【図９】
2005013232.tif 000011